(57)【要約】【課題】バックライトの色を自由に設定することができるプログラマブル表示装置を提供する。【解決手段】表示制御を行う制御部２と、表示デバイス４とタッチパネル５とバックライト６である赤緑青３色のＬＥＤとを有する表示部３と、各色のＬＥＤの点灯率情報を記憶するための記憶部７と、を備え、制御部２が記憶部７の点灯率情報を基にバックライト６を発光させる。そして、制御部２と外部機器９との通信を行う外部インタフェース部８を備え、外部インタフェース部８を介した外部機器９からの遠隔設定入力により記憶部７の点灯率情報を設定する。【選択図】図１
2007328412.tif 000002
【特許請求の範囲】
【請求項１】
表示制御を行う制御部と、表示デバイスとタッチパネルと赤緑青３色のＬＥＤから構成されるバックライトとを有する表示部と、各色のＬＥＤの点灯率情報を記憶するための記憶部と、を備え、制御部が記憶部の各色のＬＥＤの点灯率情報を基にバックライトを発光させることを特徴とするプログラマブル表示装置。
【請求項２】
タッチパネル入力により記憶部の点灯率情報を設定するものであることを特徴とする請求項１記載のプログラマブル表示装置。
【請求項３】
制御部と外部機器との通信を行う外部インタフェース部を備え、外部インタフェース部を介した外部機器からの遠隔設定入力により記憶部の点灯率情報を設定するものであることを特徴とする請求項１又は２記載のプログラマブル表示装置。
【発明の詳細な説明】
【技術分野】
【０００１】
本願発明は、バックライトを有するプログラマブル表示装置に関するものである。
【背景技術】
【０００２】
従来から、特開平１０−０７８８０６号公報（特許文献１）に示されるように、プログラマブル表示装置は知られている。このプログラマブル表示装置は図３に示すように、液晶表示パネルの画面に透明のタッチパネルを貼り着けて構成された前面パネル１０１と、表示装置本体１０２と、からなる。
【０００３】
この種のプログラマブル表示装置は一般的に、単一色のバックライトが設けられている。
【特許文献１】特開平１０−０７８８０６号公報
【発明の開示】
【発明が解決しようとする課題】
【０００４】
しかしながら、特開平１０−０７８８０６号公報に示される上記従来例のプログラマブル表示装置にあっては、バックライトの色を特定の色にしか設定できず、ユーザの好みや環境に合わせた変更をすることができなかった。
【０００５】
本願発明は上記背景技術に鑑みて発明されたものであり、その目的は、バックライトの色を自由に設定することができるプログラマブル表示装置を提供することである。
【課題を解決するための手段】
【０００６】
上記課題を解決するために、本願請求項１記載の発明では、表示制御を行う制御部と、表示デバイスとタッチパネルとバックライトである赤緑青３色のＬＥＤとを有する表示部と、各色のＬＥＤの点灯率情報を記憶するための記憶部と、を備え、制御部が記憶部の点灯率情報を基にバックライトを発光させることを特徴としている。
【０００７】
なお、点灯率情報とは、ＬＥＤに流れる電流量のレベルの情報であり、この点灯率情報を基に赤緑青３色のＬＥＤの強さを変更する。そして、赤緑青３色のＬＥＤが出力する光を混合することで自由に色を作り出す。
【０００８】
又、本願請求項２記載の発明では、上記請求項１記載のプログラマブル表示装置において、タッチパネル入力により記憶部の点灯率情報を設定するものであることを特徴としている。
【０００９】
又、本願請求項３記載の発明では、上記請求項１又は２記載のプログラマブル表示装置において、制御部と外部機器との通信を行う外部インタフェース部を備え、外部インタフェース部を介した外部機器からの遠隔設定入力により記憶部の点灯率情報を設定するものであることを特徴としている。
【発明の効果】
【００１０】
本願請求項１記載の発明のプログラマブル表示装置においては、バックライトとして赤緑青３色のＬＥＤを有し、制御部が記憶部の点灯率情報を基にバックライトを発光させるので、点灯率情報を設定することによりユーザの好みや環境に合わせた色にバックライトを発光させることができる。
【００１１】
本願請求項２記載の発明のプログラマブル表示装置においては、特に、タッチパネル入力により記憶部の点灯率情報を設定できるので、使用者が直感的に操作することで記憶部の点灯率情報を変更することができ、これにより、バックライトの色を容易に変更することができる。
【００１２】
本願請求項３記載の発明のプログラマブル表示装置においては、特に、外部インタフェース部を介した外部機器からの遠隔設定入力により記憶部の点灯率情報を設定できるので、オペレータが不在であっても記憶部の点灯率情報を変更することができ、バックライトの色を変更することの自由度を向上させることができる。
【発明を実施するための最良の形態】
【００１３】
以下、本願発明を添付図面に示す実施形態に基づいて説明する。
【００１４】
図１、２は、本願請求項１〜３に対応した一実施形態であるプログラマブル表示装置１を示している。
【００１５】
このプログラマブル表示装置１は、表示制御を行う制御部２と、表示デバイス４とタッチパネル５とバックライト６である赤緑青３色のＬＥＤとを有する表示部３と、各色のＬＥＤの点灯率情報を記憶するための記憶部７と、を備え、制御部２が記憶部７の点灯率情報を基にバックライト６を発光させる。そして、タッチパネル入力により記憶部７の点灯率情報を設定する。又、制御部２と外部機器９との通信を行う外部インタフェース部８を備え、外部インタフェース部８を介した外部機器９からの遠隔設定入力によっても記憶部７の点灯率情報を設定する。
【００１６】
以下、この実施形態のプログラマブル表示装置１をより具体的詳細に説明する。
【００１７】
図１に示すように、制御部２は、CPU１０を有し、例えば表示デバイス４に表示するためのデータを生成する描画処理、外部接続機器とデータの送受信を行う通信処理、タッチパネル５の状態を監視するタッチパネル５制御処理などの表示装置全体の制御を行う。又、制御部２は記憶部７であるメモリを有している。なお、描画処理を後述するパソコン（外部機器９）で行い、外部インタフェース部８を介して表示データがプログラマブル表示装置１に送られてもよい。
【００１８】
表示部３は、バックライト６、表示デバイス４、タッチパネル５を有し、制御部２で生成した描画データを映し出すとともに、タッチパネル５を介してオペレータの操作入力を受け付ける。例えば、表示デバイス４に液晶パネルなどがあり、タッチパネル５には抵抗膜方式、静電容量方式などのタイプがある。バックライト６には赤緑青３色のＬＥＤを用いている。
【００１９】
外部インタフェース部８は、ＲＳ２３２Ｃ、ＲＳ４２２、ＲＳ４８５、ＵＳＢなどの通信手段を有し、外部機器９（プログラマブルコントローラ、上位ホストなど）と制御部２との通信を行う。
【００２０】
メモリには各色のＬＥＤの点灯率情報が記憶されている。制御部２はこの点灯率情報を基に電流値を制御し、赤緑青３色のＬＥＤの強さを変更する。そして、赤緑青３色のＬＥＤが出力する光を混合することで自由にバックライト６の色を作り出す。
【００２１】
したがって、使用者が点灯率情報を設定することにより使用者の好みや環境に合わせた色にバックライト６を発光させることができる。
【００２２】
又、この実施形態のプログラマブル表示装置１は、タッチパネル入力により記憶部７の点灯率情報を設定することができる。例えば、図２に示すように、所定の操作を行うことで表示デバイス４に本体環境設定画面１１を表示させ、この本体環境設定画面１１上でタッチパネル入力する方法がある。この場合、Ｒ（赤）Ｇ（緑）Ｂ（青）それぞれについて、数値表示欄１２と上ボタン１３と下ボタン１４とが設けられている。数値表示欄１２にはメモリの各色のＬＥＤの点灯率情報が表示される。上ボタン１３を押すと点灯率を上げることができ、これによりメモリの点灯率情報が新たに設定される。そして、数値表示欄１２には新たに設定された点灯率情報が表示されることになる。下ボタン１４を押すと点灯率を下げることができ、これによりメモリの点灯率情報が新たに設定される。そして、数値表示欄１２には新たに設定された点灯率情報が表示されることになる。
【００２３】
したがって、本体環境設定画面１１上でタッチパネル入力により記憶部７の点灯率情報が設定できるので、使用者が直感的に操作することで記憶部７の点灯率情報を変更することができ、これにより、バックライト６の色を容易に変更することができる。
【００２４】
又、この実施形態のプログラマブル表示装置１は、外部インタフェース部８を介した外部機器９からの遠隔設定入力によっても記憶部７の点灯率情報を設定することができる。例えば、図１に示すように、プログラマブル表示装置１の外部にある他の機器である、プログラマブルコントローラやパソコン等の外部機器９からの操作を行うことで点灯率情報を設定する方法がある。プログラマブルコントローラ９でＬＥＤの各色の点灯率情報を設定する場合、該点灯率情報は、適宜外部インタフェース部８を介して新たな点灯率情報としてメモリに設定される。又、プログラマブル表示装置１の初期設定時において、表示デバイス４に表示されるスイッチ等の描画処理をパソコン９で行い、描画処理により作成された描画データがプログラマブル表示装置１に転送されて表示用データとして設定される場合、パソコン９上で描画処理と共にＬＥＤの各色の点灯率情報を設定し、描画データと共に点灯率情報がプログラマブル表示装置１に転送され、点灯率情報が記憶部７に設定される。
【００２５】
したがって、外部インタフェース部８を介した外部機器９からの遠隔設定入力により記憶部７の点灯率情報を設定できるので、オペレータが不在であっても記憶部７の点灯率情報を変更することができ、バックライト６の色を変更することの自由度を向上させることができる。
【図面の簡単な説明】
【００２６】
【図１】本願発明の一実施形態であるプログラマブル表示装置を示すブロック図。
【図２】同プログラマブル表示装置の本体環境設定画面を示す平面図。
【図３】従来例である表示装置を示す斜視図。
【符号の説明】
【００２７】
１  プログラマブル表示装置
２  制御部
３  表示部
４  表示デバイス
５  タッチパネル
６  バックライト
７  記憶部
８  外部インタフェース部
９  外部機器
１０  CPU
１１  本体環境設定画面
１２  数値表示欄
１３  上ボタン
１４  下ボタン
【図１】
2007328412.tif 000003
【図２】
2007328412.tif 000004
【図３】
2007328412.tif 000005